(57)【特許請求の範囲】
【請求項１】
開口部を被う少なくとも二枚のナイトカバーを備え、各ナイトカバーは、引き出された状態で相互に隣接する一端部が重なり合うオープンショーケースにおいて、
前記開口部に取り付けた外装パネルとその内側に設けた内装パネル間に構成された収納部と、該収納部内に設けられ、上部が下部に対して前側に位置した階段形状の取付板と、前記収納部の前記開口部側に位置して前記外装パネルと内装パネル間に形成された間隙とを備え、
前記ナイトカバーを前記取付板の上部と下部にそれぞれ設けると共に、それらの先端を前記間隙より前記開口部側に引き出すことを特徴とするオープンショーケース。
【請求項２】
前記各ナイトカバーが取り付けられた保持具は、取り付け位置が前記開口部の幅方向に移動可能となるよう前記取付板に設けられることを特徴とする請求項１のオープンショーケース。
【発明の詳細な説明】
【０００１】
【産業上の利用分野】
本発明は、店舗の閉店時に開口部を被うためのナイトカバーを備えたオープンショーケースに関するものである。
【０００２】
【従来の技術】
従来よりスーパーマーケットやコンビニエンスストアなどの店舗に設置されるオープンショーケースには、ナイトカバーと称される引き出し自在のカバー（以下、ナイトカバーと称す。）が取り付けられており、商品の納出が行われない閉店時には、このナイトカバーを引き出して開口部を被うことにより、開口部からの無駄な冷気の流出を防止し、消費電力の削減を図ることをができるように構成されている。
【０００３】
特に、開口部の幅が大きい長尺のオープンショーケースにおいては、二枚（若しくはそれ以上）のナイトカバーを並設して開口部を被っているが、各ナイトカバー相互間には引き出された状態で隙間が生じていたため、この隙間から冷気が漏出していた。
【０００４】
【発明が解決しようとする課題】
これを防止するために、例えば実開昭６１−１５９７８３号公報（Ｆ２５Ｄ１１／００）では、隣接するナイトカバーの端部が相互に重なるように配置して、引き出された各ナイトカバー間に隙間を作らないようにしているが、隙間は開口部両側の側板とナイトカバーとの間にも発生するため、そこからの冷気漏れには効果がなかった。
【０００５】
他方、実開昭５９−４９８３号公報（Ｆ２５Ｄ２３／０２）では、係るナイトカバーと側板間の隙間を閉塞するための風防板を側板に取り付けているが、係る構成では構造が複雑となり、部品点数が増大してコストの著しい高騰を引き起こす問題があった。
【０００６】
本発明は、係る従来の技術的課題を解決するために成されたものであり、開口部からの冷気漏れ防止効果を簡単な構成にて改善し、消費電力を削減することができるオープンショーケースを提供することを目的とする。
【０００７】
【課題を解決するための手段】
本発明のオープンショーケースは、開口部を被う少なくとも二枚のナイトカバーを備え、各ナイトカバーは、引き出された状態で相互に隣接する一端部が重なり合うものであって、開口部に取り付けた外装パネルとその内側に設けた内装パネル間に構成された収納部と、この収納部内に設けられ、上部が下部に対して前側に位置した階段形状の取付板と、収納部の開口部側に位置して外装パネルと内装パネル間に形成された間隙とを備え、ナイトカバーを取付板の上部と下部にそれぞれ設けると共に、それらの先端を前記間隙より開口部側に引き出すことを特徴とする。
【０００８】
請求項２の発明のオープンショーケースは、上記において各ナイトカバーが取り付けられた保持具は、取り付け位置が開口部の幅方向に移動可能となるよう取付板に設けられることを特徴とする。
【０００９】
【作用】
本発明によれば、開口部を被う少なくとも二枚のナイトカバーを備え、各ナイトカバーは、引き出された状態で相互に隣接する一端部が重なり合うオープンショーケースにおいて、開口部に取り付けた外装パネルとその内側に設けた内装パネル間に構成された収納部と、この収納部内に設けられ、上部が下部に対して前側に位置した階段形状の取付板と、収納部の開口部側に位置して外装パネルと内装パネル間に形成された間隙とを備え、ナイトカバーを取付板の上部と下部にそれぞれ設けると共に、それらの先端を前記間隙より開口部側に引き出すようにしたので、引き出された各ナイトカバーの重なり合う一端部が相互に密着され、冷気漏れ防止効果が一層向上する。また、収納部内において重なり合う各ナイトカバーの一端部は引き離されるので、巻き取り時に各ナイトカバーが干渉し合うことが無くなり、ナイトカバーの引き出し・巻き取り操作性が改善されるものである。
【００１０】
請求項２の発明によれば、上記に加えて各ナイトカバーが取り付けられた保持具は、取り付け位置が開口部の幅方向に移動可能となるよう取付板に設けられるので、隣接するナイトカバーの重複寸法を、オープンショーケースの設置状態に応じて任意に調整し、冷気漏れの防止に最適な状態に調整することができるようになる。更に、例えば出荷時には重複寸法を大きくして各ナイトカバーを内方に移動させて置き、オープンショーケースの据え付け現場において外方に移動させ、側板や他のオープンショーケースのナイトカバーと重ね合わせることが可能となるので、製品の運搬・据え付け作業にも支障を来さないようにすることができるものである。
【００１１】
【実施例】
以下、図面に基づき本発明の実施例を詳述する。図１は本発明の実施例のオープンショーケース１の正面図、図２はオープンショーケース１の縦断側面図、図３はオープンショーケース１の開口部２上端の拡大縦断側面図、図４はオープンショーケース１の開口部２上部の側面図、図５はオープンショーケース１の開口部２下部の縦断側面図である。
【００１２】
上記各図に示した実施例のオープンショーケース１は、例えばスーパーマーケットなどの店舗内に複数台据え付けられる冷蔵タイプの縦型オープンショーケースであり、断面略コ字状の断熱壁２と、据え付け現場においてこの断熱壁２の両側に取り付けられる側板３、３とから構成されている。断熱壁２の内側にはそれぞれ間隔を存して外層仕切板４と内層仕切板６が取り付けられており、断熱壁２と外層仕切板４間が外層ダクト７、内外層仕切板６、４間が内層ダクト８とされ、内層仕切板６の内側が貯蔵室９とされている。
【００１３】
この貯蔵室９内には複数段の棚１１・・が架設されると共に、貯蔵室９の底部にはデックパン１２が取り付けられ、このデックパン１２の下方は前記両ダクト７、８に連通した底部ダクト１３とされている。そして、この底部ダクト１３内には図示しない送風機を内蔵したファンケース１４が設置されると共に、内層ダクト８内には冷凍装置に含まれる冷却器１６が縦設されている。
【００１４】
断熱壁２と両側板３、３にて囲繞された貯蔵室９の前面開口部２１の上縁には外層吐出口２２と内層吐出口２３が前後に並設されており、外層吐出口２２は外層ダクト７に内層吐出口２３は内層ダクト８にそれぞれ連通している。また、開口部２１の下縁には吸込口２４が形成され、前記底部ダクト１３に連通している。
【００１５】
そして、前記ファンケース１４内の送風機が運転されると、底部ダクト１３内の空気は後方の内外層ダクト７、８に向けて吹き出され、外層ダクト７においてはそのまま吹き上げられると共に、内層ダクト８においては冷却器１６と熱交換した後吹き上げられ、開口部２１上縁の内外層吐出口２２、２３から下縁の吸込口２４に向けてそれぞれ吹き出される。
【００１６】
これによって、貯蔵室９の開口部２１には内側の冷気エアーカーテンとそれを保護する外側のエアーカーテンとが形成され、開口部２１からの外気の侵入が阻止若しくは抑制されると共に、内側の冷気エアーカーテンの一部が貯蔵室９内に循環して貯蔵室９内は冷却される。そして、これらの冷気などは吸込口２４から底部ダクト１３に帰還し、送風機に再び吸い込まれることになる。
【００１７】
一方、断熱壁２の天壁２Ａ前端には内装パネルとしてのキャノピー（庇）２６が全幅に渡り、前方に突出して取り付けられており、このキャノピー２６の内側、内層吐出口２３の内方及び各棚１１の下面には蛍光灯２７・・がそれぞれ取り付けられている。他方、断熱壁２の開口部２１下縁を縁取る前壁２Ｂ上端にはハンドレール２８が全幅に渡って取り付けられ、このハンドレール２８の外面である下面前端部２８Ａはアンダーカット形状とされている。
【００１８】
尚、３１、３２は前壁２Ｂ前面に取り付けられた上下化粧パネルであり、３３はバンパーである。また、側板３は所定の幅を有しており、その前面中央部には透視ガラス２９が嵌め込まれている。
【００１９】
前記キャノピー２６の上側には間隔を存して外装パネル３６が長手方向に渡って取り付けられており、この外装パネル３６とキャノピー２６間が収納部３７とされている。この外装パネル３６はキャノピー２６より横幅が広く、断熱壁２から両側板３、３の前面３Ａ、３Ａ上部前方まで渡る寸法を有しており、キャノピー２６の前端と外装パネル３６の下端間には、収納部３７の開口部２１側に位置して幅方向に渡る間隙Ｇが形成されている。
【００２０】
尚、この間隙Ｇに面するキャノピー２６及び外装パネル３６には適宜クッション材が貼り付けられる。また、外装パネル３６の左右端にはキャップ３８が取り付けられて収納部３７を閉塞する。
【００２１】
更に、前記キャノピー２６の上面には収納部３７内に位置してキャノピー２６と同じ幅の硬質合成樹脂製取付板４１が立設されている。この取付板４１の前面４２は上部４２Ａが下部４２Ｂに対して前側に位置した階段形状とされており、それらの前面上下には相互に対向した係合片４３、４３及び４４、４４がそれぞれ形成されている。
【００２２】
そして、各係合片４３、４３及び４４、４４間にはそれぞれナイトカバー４６、４７が取り付けられた保持具４８、４９が係合され、これによって、両ナイトカバー４６、４７は収納部３７内に収納される。この場合、図７の如く上側の保持具４８は取付板４１（断熱壁２）の向かって右側、下側の保持具４９は向かって左側に相互に変位して取り付けられると共に、それぞれ取付板４１の長手方向（開口部２１の幅方向）に移動可能に各係合片４３、４３及び４４、４４間に保持される。
【００２３】
これによって、ナイトカバー４６は向かって右側、ナイトカバー４７は左側に配置され、且つ、ナイトカバー４６はナイトカバー４７よりも前上方に位置する。また、各保持具４８、４９は係合片４３、４３及び４４、４４間に係合される縦辺４８Ａ、４９Ａと、前方に突出する上辺４８Ｂ、４９Ｂとを備えており、保治具４９の上辺４９Ｂはナイトカバー４７の上方に位置してナイトカバー４７より前方に突出している。
【００２４】
前記各ナイトカバー４６、４７は、何れも織物から成る基材の一面若しくは両面に水蒸気を透過させ、且つ、低温（少なくとも後述する＋１３℃〜＋１６℃の温度）においても当該透過特性が維持されるフィルムをラミネートした素材にて構成されており、各保持具４８、４９の縦辺４８Ａ、４９Ａに取り付けられたトーションバー５１、５１の周囲に捲回されて常時巻き取られる方向に付勢されている。
【００２５】
また、各ナイトカバー４６、４７の横幅の合計値は、実施例では断熱壁２と二枚の側板３、３の幅寸法よりも大きい寸法とされており、巻き取られた状態でそれらの隣接する一端部は断熱壁２の左右方向の中心Ｃよりも反対側まで突出し、それによって、両ナイトカバー４６、４７の前記一端部は上下方向において重複している。更に、保持具４８、４９を図８の如く取付板４１よりも外方に突出させて両ナイトカバー４６、４７の他端部を外方の側板３、３の前面３Ａまで移動させても、同図の如く前記一端部は少なくとも上下方向で重複する構成とされている。
【００２６】
これらナイトカバー４６、４７の先端（下縁）にはそれらを左右に張る硬質樹脂製の縁部材５６が取り付けられている。この縁部材５６は図６の如くナイトカバー４６、４７の全幅よりも短く、それによってナイトカバー４６、４７の両端には縁部材５６は存在していない。また、縁部材５６の中央部には把手５７が形成されている。この把手５７は前方に突出した摘み部５８と、後方に突出したフック部５９とから成り、フック部５９の後面には磁石６１が取り付けられている。
【００２７】
そして、各ナイトカバー４６、４７の先端は前記キャノピー２６と外装パネル３６の間の間隙Ｇより収納部３７から開口部２１側に引き出され、それらの縁部材５６、５６は図３の如く収納部３７外の開口部２１側に臨む。これによって、両ナイトカバー４６、４７は略同じ位置から引き出されることになるが、保持具４９の上辺４９Ｂはナイトカバー４７よりも前方に突出しており、ナイトカバー４６の前記一端部はこの上辺４９Ｂの前側を通って降下することになるので、少なくとも各ナイトカバー４６、４７の隣接する一端部においては、ナイトカバー４６は上方に行くに従ってナイトカバー４７より前方に引き離される。
【００２８】
以上の構成にて断熱壁２と側板３、３及び外装パネル３６が分離された状態でオープンショーケース１が出荷される時点では、各保持具４８、４９は各ナイトカバー４６、４７の重複寸法が拡大されるように内方に移動させて置く（図７）。従って、断熱壁２の幅寸法が保持具４８、４９によって拡大されることを防止することができる。
【００２９】
そして、店舗などの据え付け現場において先ず断熱壁２の両側に側板３、３を取り付ける。次に、各保持具４８、４９を外方に移動させ、図８の如く取付板４１よりも左右外方に突出させて両ナイトカバー４６、４７の他端部を外方の側板３、３の前面３Ａまで移動させる。尚、この状態においても前述の如くナイトカバー４６、４７の隣接する一端部は少なくとも上下方向で重複している。そして、前述の如く縁部材５６、５６を下方に引き出した状態で、外装パネル３６を断熱壁２に取り付け、左右をキャップ３８、３８にて塞ぐ。
【００３０】
この構成で、店舗の閉店時には前記縁部材５６、５６の摘み部５８を持って両ナイトカバー４６、４７を引き出し、各フック部５９をハンドレール２８の下面前端部２８Ａに嵌合させる。この場合、フック部５９の磁石６１はハンドレール２８に吸着するので、フック部５９の係合は安定的に保持される。また、ハンドレール２８は断熱壁２の左右略全幅に渡っており、フック部５９はこのハンドレール２８の前端部２８Ａのどこにでも嵌合できるので、各ナイトカバー４６、４７が幅方向に移動されても、フック部５９の嵌合に支障が生じることは無い。
【００３１】
特に、この状態でナイトカバー４６、４７の先端部はハンドレール２８の上面にその外側（外面）まで密着することになるので、ナイトカバー４６、４７とハンドレール２８間の隙間は塞がれる。従って、ハンドレール２８とナイトカバー４６、４７間からの冷気の漏出は阻止される。
【００３２】
また、前述の如く各ナイトカバー４６、４７の隣接する一端部は巻き取られた状態で上下方向において重複しているので、引き出された状態のナイトカバー４６、４７の前記一端部は重なり合う（ナイトカバー４６が前側）と共に、他端部は開口部２１より外方に張り出して側板３、３の前面３Ａ、３Ａに位置する。従って、両ナイトカバー４６、４７間及びナイトカバー４６、或いは、４７と側板３、３との間の隙間は塞がれ、開口部２１からの冷気の漏出は防止される。
【００３３】
従って、オープンショーケース１の運転効率は大幅に改善され、省エネルギーとなると共に、従来の如き格別な風防板なども不要となるので、部品点数の削減と製造コストの低減も図ることができる。尚、保持具４８、４９は開口部２１の幅方向に移動可能であるので、ナイトカバー４６、４７の重複寸法は、オープンショーケース１の設置状態に応じて任意に調整し、冷気漏れの防止に最適な状態に調整すれば良い。
【００３４】
特に、各ナイトカバー４６、４７は間隙Ｇから共に引き出されているので、各ナイトカバー４６、４７の重なり合う一端部は相互に密着される。ここで、縁部材５６もナイトカバー４６、４７の両端部には存在しないので、これら縁部材５６、５６が両ナイトカバー４６、４７の重複部分の密着、及び、側板３の前面３Ａへの密着の邪魔になることもない。また、各ナイトカバー４６、４７の内側を降下するエアーカーテンによって、ナイトカバー４６、４７は外気圧により貯蔵室９側に押されることになるので、総じて冷気漏れ防止効果は一層向上する。
【００３５】
ここで、エアーカーテンによりナイトカバー４６、４７の表面は＋１３℃〜＋１６℃の温度に低下するが（貯蔵室９内の温度が０℃〜＋５℃、外気温＋２５℃でナイトカバー４６、４７の表面温度は＋１３℃〜＋１６℃程になる）、ナイトカバー４６、４７は係る低温においても水蒸気を透過させるので、例えば特公昭４２−２５５８６号公報に示される如き孔を穿設すること無く、ナイトカバー４６、４７内面への結露は防止される。従って、係る孔からの冷気漏れも解消できる。
【００３６】
また、係るナイトカバー４６、４７への結露が防止されることにより、前述の如くハンドレール２８の外側までナイトカバー４６、４７が被っても、結露によってオープンショーケース１周囲が汚損されることが無くなる。
【００３７】
そして、以上の如き冷気漏れ防止効果により、実施例では従来一般的なナイトカバー付きオープンショーケース（１００％）に比してその消費電力は約５５％まで低減された。
【００３８】
他方、前述の如く収納部３７内では、少なくとも各ナイトカバー４６、４７の隣接する一端部においてナイトカバー４６は上方に行くに従ってナイトカバー４７より前方に引き離されるので、巻き取り時に各ナイトカバー４６、４７が干渉し合うことが無くなり、ナイトカバー４６、４７の引き出し・巻き取り操作性が改善される。更に、各ナイトカバー４６、４７は収納部３７内に取り付けられているので、外観も向上する。
【００３９】
次に、図９は二台のオープンショーケース１、１を連結して設置した場合の平面図を示している。尚、この実施例ではナイトカバー４６、４７は図１乃至図８の場合と上下が逆とされている。この場合、二台のオープンショーケース１、１の相互に隣接する側の側板３は削除され、断熱壁２、２は相互にシール材を介して接合されるが、各断熱壁２、２間には少許隙間６３が形成されてしまう。
【００４０】
しかしながら、前述の如く各ナイトカバー４６、４７の隣接する一端部を重複させた状態で、他端部を開口部２１より外方に張り出させることにより、左側のオープンショーケース１のナイトカバー４６の右端と、右側のオープンショーケース１のナイトカバー４７の左端を重ね合わせることができる。従って、各オープンショーケース１、１のナイトカバー４６、４７間及び各断熱壁２、２間の隙間６３は塞がれ、開口部２１、２１からの冷気の漏出は防止される。
【００４１】
次に、図１０は所謂平型オープンショーケース７０の実施例を示している。この場合、オープンショーケース７０は上方に開口した断面略コ字状の断熱壁７１と、この断熱壁７１の両側に取り付けられる図示しない側板とから構成されている。断熱壁７１の内側にはそれぞれ間隔を存してコ字状の仕切板７２、７３が取り付けられており、断熱壁７１と各仕切板７２、７３間がダクト７４とされ、各仕切板７２、７３の内側が貯蔵室７６、７７とされている。
【００４２】
また、ダクト７４内には図示しない送風機と冷凍装置に含まれる冷却器が配設される。各仕切板７２、７３の隣接する側の上端には、断熱壁７１と両側板にて囲繞された貯蔵室７６、７７の上面開口部７８、７９に位置して左右外方に向けた吐出口８１、８２が形成されており、各吐出口８１、８２はダクト７４に連通している。また、開口部７８、７９の左右外側縁には吸込口８３、８４がそれぞれ形成され、前記ダクト７４に連通している。
【００４３】
そして、前記送風機が運転されると、ダクト７４内の冷気は各吐出口８１、８２から両側の吸込口８３、８４に向けてそれぞれ吹き出される。これによって、貯蔵室７６、７７の開口部７８、７９には冷気エアーカーテンが形成され、開口部７８、７９からの外気の侵入が阻止若しくは抑制されると共に、冷気エアーカーテンの一部が貯蔵室７６、７７内に循環して冷却される。そして、これらの冷気は吸込口８３、８４からダクト７４に帰還し、送風機に再び吸い込まれることになる。
【００４４】
一方、各吐出口８１、８２の上側には内装パネル８６、８７が全幅に渡り、それぞれ取り付けられており、両内装パネル８６、８７の上方には間隔を存して外装パネル８８が長手方向に渡って取り付けられ、この外装パネル８８と内装パネル８６、８７間が収納部８９とされている。この外装パネル８８は内装パネル８６、８７より横幅が広く、断熱壁７１から両側板の上面まで渡る寸法を有しており、各内装パネル８６、８７の外側端と外装パネル８８の外側端間には、収納部８９の開口部７８、７９側に位置して幅方向に渡る間隙Ｇが形成されている。
【００４５】
更に、前記両内装パネル８６、８７の上面には収納部８９内に位置して内装パネル８６、８７と同じ幅の硬質合成樹脂製取付板９１がそれぞれ取り付けられている。各取付板９１は間隙Ｇから離間した側の内側部９２Ａが間隙Ｇ側の外側部９２Ｂに対して上側に位置した階段形状とされており、それらの上面には前述同様の係合片（図示せず）がそれぞれ形成されている。
【００４６】
そして、各係合片間にはそれぞれ前述同様のナイトカバー４６、４７が取り付けられた保持具４８、４９が係合され、これによって、両ナイトカバー４６、４７は収納部８９内に収納される。この場合も同様に各ナイトカバー４６の隣接する一端部は水平方向で重複するよう左右に変位して配置されると共に、他端部は図示しない側板上面まで渡るよう取り付けられる。従って、各ナイトカバー４６、４７を引き出した際には両ナイトカバー４６、４７の前記一端部は重なり合い、且つ、他端部は側板上面に位置するので、各開口部７８、７９の隙間は前述同様に塞がれることになる。
【００４７】
尚、上記各実施例ではオープンショーケースの開口部に２枚若しくは４枚のナイトカバーを取り付けた場合について説明したが、それに限らず、３枚若しくは更に多数のナイトカバーにて開口部を被っても良い。また、請求項８の発明に関してはこれに限らず、１枚のナイトカバーにて開口部を被い、その両端部を開口部より外方に張り出させても良い。
【００４８】
【発明の効果】
以上詳述した如く本発明によれば、開口部を被う少なくとも二枚のナイトカバーを備え、各ナイトカバーは、引き出された状態で相互に隣接する一端部が重なり合うオープンショーケースにおいて、開口部に取り付けた外装パネルとその内側に設けた内装パネル間に構成された収納部と、この収納部内に設けられ、上部が下部に対して前側に位置した階段形状の取付板と、収納部の開口部側に位置して外装パネルと内装パネル間に形成された間隙とを備え、ナイトカバーを取付板の上部と下部にそれぞれ設けると共に、それらの先端を前記間隙より開口部側に引き出すようにしたので、引き出された各ナイトカバーの重なり合う一端部が相互に密着され、冷気漏れ防止効果が一層向上する。また、収納部内において重なり合う各ナイトカバーの一端部は引き離されるので、巻き取り時に各ナイトカバーが干渉し合うことが無くなり、ナイトカバーの引き出し・巻き取り操作性が改善されるものである。
【００４９】
請求項２の発明によれば、上記に加えて各ナイトカバーが取り付けられた保持具は、取り付け位置が開口部の幅方向に移動可能となるよう取付板に設けられるので、隣接するナイトカバーの重複寸法を、オープンショーケースの設置状態に応じて任意に調整し、冷気漏れの防止に最適な状態に調整することができるようになる。更に、例えば出荷時には重複寸法を大きくして各ナイトカバーを内方に移動させて置き、オープンショーケースの据え付け現場において外方に移動させ、側板や他のオープンショーケースのナイトカバーと重ね合わせることが可能となるので、製品の運搬・据え付け作業にも支障を来さないようにすることができるものである。
【図面の簡単な説明】
【図１】本発明の実施例のオープンショーケースの正面図である。
【図２】本発明の実施例のオープンショーケースの縦断側面図である。
【図３】本発明の実施例のオープンショーケースの開口部上端の拡大縦断側面図である。
【図４】本発明の実施例のオープンショーケースの開口部上部の側面図である。
【図５】本発明の実施例のオープンショーケースの開口部下部の縦断側面図である。
【図６】引き出した状態の２枚のナイトカバーの斜視図である。
【図７】取付板の斜視図である。
【図８】保持具を移動させた状態の取付板の斜視図である。
【図９】オープンショーケースを連結した状態の平面図である。
【図１０】本発明の他の実施例を示す平型オープンショーケースの縦断側面図である。
【図１１】図１０の平型オープンショーケースの収納部部分の拡大縦断側面図である。
【符号の説明】
１、７０  オープンショーケース
２、７１  断熱壁
３  側板
２１、７８、７９  開口部
２６  キャノピー（内装パネル）
２８  ハンドレール
３６、８８  外装パネル
３７、８９  収納部
４６、４７  ナイトカバー
４１、９１  取付板
４８、４９  保持具
５６  縁部材
５９  フック部
８６、８７  内装パネル
Ｇ  間隙
【図１】
0003540420.tif 000002
【図２】
0003540420.tif 000003
【図３】
0003540420.tif 000004
【図４】
0003540420.tif 000005
【図５】
0003540420.tif 000006
【図６】
0003540420.tif 000007
【図７】
0003540420.tif 000008
【図８】
0003540420.tif 000009
【図９】
0003540420.tif 000010
【図１０】
0003540420.tif 000011
【図１１】
0003540420.tif 000012